(57)【要約】【課題】泡立ち、泡質（クリーミィ性）が良好であり、すすぎ時にぬるつきが無く、タオルドライ後のしっとり感に優れ、低温安定性に優れた皮膚洗浄剤組成物を提供する。【解決手段】脂肪酸及びそのカリウム塩を合計で１５〜４０質量％含有し、脂肪酸：脂肪酸のカリウム塩の質量比が１０：９０〜２：９８であり、前記脂肪酸組成がラウリン酸３０〜６５質量％、ミリスチン酸５〜４０質量％、パルミチン酸０〜４０質量％及びステアリン酸０〜２５質量％であり、であることを特徴とする皮膚洗浄剤組成物。【選択図】なし【特許請求の範囲】
【請求項１】
脂肪酸及びそのカリウム塩を合計で１５〜４０質量％含有し、脂肪酸：脂肪酸のカリウム塩の質量比が１０：９０〜２：９８であり、前記脂肪酸組成がラウリン酸３０〜６５質量％、ミリスチン酸５〜４０質量％、パルミチン酸０〜４０質量％及びステアリン酸０〜２５質量％であることを特徴とする皮膚洗浄剤組成物。
【請求項２】
更に多価アルコール及び一価のアルコールから選ばれる１種又は２種以上を含有する請求項１記載の皮膚洗浄剤組成物。
【発明の詳細な説明】
【技術分野】
【０００１】
本発明は、皮膚洗浄剤組成物に関し、更に詳しくは、泡立ち、泡質（クリーミィ性）が良好であり、すすぎ時にぬるつきが無く、タオルドライ後のしっとり感に優れ、低温安定性に優れた皮膚洗浄剤組成物に関する。
【背景技術】
【０００２】
従来、皮膚洗浄剤組成物において脂肪酸アルカリ金属塩を用いることが知られており、泡立ちや泡質（クリーミィ性）、すすぎ時のぬるつきの無さから多用されている。脂肪酸アルカリ金属塩は一般にナトリウム塩を指すが、水溶性等の問題から液体洗浄剤とするには不向きであり、液体洗浄剤とする場合には脂肪酸のカリウム塩（カリ石けん）が用いられている。すなわち、ラウリン酸カリウムやオレイン酸カリウム等のクラフト点の低いカリ石けんを主成分とした液体洗浄剤とするのが一般的である（例えば、特許文献１〜６参照。）。
【０００３】
しかしながら、ラウリン酸カリウムやオレイン酸カリウムを主体とするカリウム塩を基剤とした液体洗浄剤組成物は、低温安定性は良好であるものの、一般にキメの粗い泡しか得られず、洗い上がりの感触（かさつきがある、しっとり感がたりない）という欠点を有している。キメの細かな泡を得るためには、カリ石けんの脂肪酸組成をラウリン酸やオレイン酸よりも高融点の脂肪酸をより多く含むものにしたり、脂肪酸（未中和石けん）を添加する等の方法が考えられるが、いずれも低温で結晶化したり、ゲル化するなどの問題があった。
【０００４】
タオルドライ後のしっとり感を付与する目的で、シリコーン類、炭化水素類、植物性、動物性等の液状油を配合することが知られている（例えば、特許文献７〜９参照）。しかし、泡立ちの低下やすすぎ時のぬるつきを生じさせる等の欠点があった。
【先行技術文献】
【特許文献】
【０００５】
【特許文献１】特開昭６１−３００号公報
【特許文献２】特開平３−１７９０９８号公報
【特許文献３】特開平２−１４２９００号公報
【特許文献４】特開昭５７−１０９９００号公報
【特許文献５】特開昭５７−１１５５００号公報
【特許文献６】特開平４−１７３７２９号公報
【特許文献７】特許第２７９６３６２号公報
【特許文献８】特開２００８−１３７９０４号公報
【特許文献９】特開２００２−３５６６９９号公報
【発明の概要】
【発明が解決しようとする課題】
【０００６】
上記従来技術を背景とした本発明の目的は、泡立ち、泡質（クリーミィ性）が良好であり、すすぎ時にぬるつきが無く、タオルドライ後のしっとり感に優れ、低温安定性に優れた皮膚洗浄剤組成物を提供することにある。
【課題を解決するための手段】
【０００７】
本発明者等は、本発明の目的を達成するために鋭意研究した結果、特定の脂肪酸組成を有するカリ石けんと脂肪酸（未中和石けん）を特定の割合で併用すれば、泡立ち、泡質（ク
リーミィ性）が良好であり、すすぎ時にぬるつきが無く、タオルドライ後のしっとり感に優れ、低温安定性に優れた皮膚洗浄剤組成物が得られることを見出し、本発明を完成した。
【０００８】
すなわち、本発明は、脂肪酸及びそのカリウム塩を合計で１５〜４０質量％含有し、脂肪酸：脂肪酸のカリウム塩の質量比が１０：９０〜２：９８であり、前記脂肪酸組成がラウリン酸３０〜６５質量％、ミリスチン酸５〜４０質量％、パルミチン酸０〜４０質量％及びステアリン酸０〜２５質量％であることを特徴とする皮膚洗浄剤組成物である。
【発明の効果】
【０００９】
本発明によれば、泡立ち、泡質（クリーミィ性）が良好であり、すすぎ時にぬるつきが無く、タオルドライ後のしっとり感に優れ、低温安定性に優れた皮膚洗浄剤組成物を提供することができる。
【発明を実施するための形態】
【００１０】
以下、本発明の皮膚洗浄剤組成物について詳細に説明する。
【００１１】
本発明で用いられる脂肪酸及びそのカリウム塩は、その脂肪酸組成が、ラウリン酸３０〜６５質量％、ミリスチン酸５〜４０質量％、パルミチン酸０〜４０質量％及びステアリン酸０〜２５質量％であることが必要であり、特にその脂肪酸組成が、ラウリン酸３５〜５５質量％、ミリスチン酸５〜３５質量％、パルミチン酸０〜３５質量％及びステアリン酸０〜２１質量％であるのが好ましい。これらの脂肪酸は、それぞれ高純度の脂肪酸を前記のような脂肪酸組成となるように混合して用いてもよく、あるいはヤシ油脂肪酸、パーム核油脂肪酸、パーム油脂肪酸のような混合脂肪酸を用い、これに適宜構成脂肪酸を加えて前記の脂肪酸組成となるようにしてもよい。混合脂肪酸を用いた場合、カプリル酸、カプリン酸、アラキン酸、ベヘニン酸、オレイン酸、リノール酸、イソステアリン酸等が少量混ざってくることがあるが、本発明の効果を損なわない範囲であるならば構わない。
【００１２】
本発明の皮膚洗浄剤組成物には、前記の脂肪酸組成を有する脂肪酸及びそのカリウム塩を合計で１５〜４０質量％、好ましくは１５〜２５質量％配合する。また、脂肪酸：脂肪酸のカリウム塩の質量比は１０：９０〜２：９８であり、好ましくは９：９１〜４：９６である。これらの範囲外では、良好な泡立ち、泡質（クリーミィ性）、すすぎ時にぬるつきが無さ、優れたタオルドライ後のしっとり感、優れた低温安定性を得ることはできない。
【００１３】
次に、本発明の皮膚洗浄剤組成物において、タオルドライ後のしっとり感及び低温安定性の向上が更に顕著になるため、多価アルコール及び一価のアルコールから選ばれる１種又は２種以上を配合することが好ましい。本発明で用いられる多価アルコールはプロピレングリコール、１，３−ブチレングリコール、ジプロピレングリコール、グリセリン、ジグリセリン、平均分子量１０００以下のポリエチレングリコール等が挙げられる。また、一価のアルコールとしてはエタノールが好ましい。
【００１４】
本発明において、多価アルコール及び一価のアルコールの中から１種又は２種以上を適宜選択して用いることができる。これらの配合量は好ましくは０．１〜１５質量％であり、より好ましくは１〜１０質量％である。
【００１５】
本発明の皮膚洗浄剤組成物は、前記の組成となる脂肪酸及びそのカリウム塩をそれぞれ配合することにより製造することができるが、典型的には、６０〜９０℃に加温した水酸化カリウムを含む水溶液に、６０〜９０℃に加温融解した過剰量の脂肪酸を含む油相を撹拌しつつ加え、一定量の脂肪酸（未中和石けん）を残存させるようにして製造することができ、ｐＨ８〜１０になるように調整するのが好ましい。
【００１６】
本発明の皮膚洗浄剤組成物は、上述した成分の他に、本発明の目的を損なわない範囲で他の成分、例えば、アニオン界面活性剤、カチオン界面活性剤、両性界面活性剤、ノニオン界面活性剤、カチオン化高分子、非イオン性高分子、粉体（顔料、色素、樹脂等）、防腐剤、香料、保湿剤、生理活性成分、塩類、溶媒、パール化剤、中和剤、ｐＨ調整剤、昆虫忌避剤、酵素等の成分を適宜配合することができる。
【００１７】
上記アニオン界面活性剤としては、特に限定されるものではなく、例えばα−ラウロイルスルホン酸ナトリウム、ミリストイルアリルスルホン酸ナトリウム、ラウリルナフタレンスルホン酸ナトリウム、ラウリル硫酸トリエタノールアミン、ラウリル硫酸アンモニウム、ラウリルエーテル硫酸ナトリウム、ポリオキシエチレンラウリルエーテル硫酸ナトリウム、ポリオキシエチレンヤシ油脂肪酸アミドエーテル硫酸カリウム、ラウリルリン酸ナトリウム、ラウロイルメチルタウリンナトリウム、パルチミン酸カリウム、ヤシ油脂肪酸カリウム、Ｎ−ヤシ油脂肪酸グルタミン酸カリウム、スルホコハク酸ラウリル二ナトリウム、ポリオキシエチレンラウリルエーテル酢酸ナトリウム等が挙げられ、適宜一種又は二種以上選択して用いればよい。
【００１８】
上記両性界面活性剤としては、特に限定されるものではないが、例えばラウリン酸アミドプロピルベタイン、ヤシ油脂肪酸アミドプロピルベタイン、ラウリルジメチルアミノ酢酸ベタイン、２−アルキル−Ｎ−カルボキシメチル−Ｎ−ヒドロキシエチルイミダゾリニウムベタイン、ラウリルアミノジ酢酸ナトリウム、β−アミノプロピオン酸ナトリウム、Ｎ−ラウロイル−Ｎ’−カルボキシメチル−Ｎ’−ヒドロキシエチルエチレンジアミンナトリウム等が挙げられ、適宜一種又は二種以上選択して用いればよい。
【００１９】
上記ノニオン界面活性剤としては、特に限定されるものではないが、例えばポリオキシエチレンセチルエーテル、モノステアリン酸ソルビタン、トリイソステアリン酸ポリオキシエチレンソルビタン、ポリオキシエチレン硬化ヒマシ油、ポリオキシエチレンモノイソステアレート、ポリオキシエチレンジオレイン酸グリセリル、ヤシ油脂肪酸ジエタノールアミド、ヤシ油脂肪酸モノエタノールアミド、ヤシ油脂肪酸Ｎ−メチルエタノールアミド、ポリオキシエチレンポリオキシプロピレングリコール、モノラウリン酸ポリエチレングリコール等が挙げられ、適宜一種又は二種以上選択して用いればよい。
【００２０】
上記カチオン化高分子としては、特に限定されるものではないが、例えば塩化Ｏ−［２−ヒドロキシ−３−（トリメチルアンモニオ）プロピル］ヒドロキシエチルセルロース、塩化Ｏ−［２−ヒドロキシ−３−（トリメチルアンモニオ）プロピル］グァーガム、塩化ジメチルジアリルアンモニウム・アクリルアミド共重合体、及びアクリルアミド・アクリル酸・塩化ジメチルジアリルアンモニウム共重合体等が挙げられ、適宜一種又は二種以上選択して用いればよい。
【００２１】
上記非イオン性高分子としては、特に限定されるものではないが、例えばヒドロキシエチルセルロース、ヒドロキシプロピルセルロース、ヒドロキシプロピルメチルセルロース、ポリエチレングリコール、高重合ポリエチレングリコール、及びポリビニルアルコール等が挙げられ、適宜一種又は二種以上選択して用いればよい。
【００２２】
また、上記粉体としては、例えば赤色２０１号、黄色４号、青色１号、黒色４０１号等の色素、黄色４号Ａｌレーキ、黄色２０３号Ｂａレーキ等のレーキ色素、ナイロンパウダー、シルクパウダー、シリコーンパウダー、セルロースパウダー、シリコーンエラストマー球状粉体、ポリエチレン末等の高分子、黄酸化鉄、赤色酸化鉄、酸化クロム、カーボンブラック、群青、紺青等の有色顔料、酸化亜鉛、酸化チタン等の白色顔料、タルク、マイカ、セリサイト、カオリン等の体質顔料、雲母チタン等のパール顔料、硫酸バリウム、炭酸
カルシウム、炭酸マグネシウム、珪酸マグネシウム等の金属塩、シリカ、アルミナ等の無機粉体、ベントナイト、スメクタイト、窒化ホウ素等が挙げられる。これらの粉体の形状（球状、棒状、針状、板状、不定形状、燐片状、紡錘状など）に特に制限はない。
【００２３】
上記生理活性成分としては、皮膚に塗布した場合に皮膚に何らかの生理活性を与える物質が挙げられる。例えば、抗炎症剤、老化防止剤、紫外線防御剤、ひきしめ剤、抗酸化剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分等が挙げられる。上記生理活性成分は、天然系の植物抽出成分、海藻抽出成分、生薬成分や、化合物等が挙げられるが、これらの中でも、特に天然系の植物抽出成分、海藻抽出成分、生薬成分が安全性の点で好ましい。
【００２４】
上記天然系の植物抽出成分、海藻抽出成分、生薬成分の例としては、例えばアシタバエキス、アマチャエキス、アルテアエキス、アロエエキス、アンズエキス、イチョウエキス、ウイキョウエキス、ウーロン茶エキス、エイジツエキス、オウゴンエキス、オウバクエキス、オトギリソウエキス、オランダカラシエキス、オレンジエキス、海水乾燥物、海藻エキス、加水分解コムギ末、加水分解シルク、カモミラエキス、カロットエキス、カワラヨモギエキス、甘草エキス、カキョクエキス、キウイエキス、キューカンバーエキス、クチナシエキス、クマザサエキス、クララエキス、クルミエキス、グレープフルーツエキス、クロレラエキス、クワエキス、紅茶エキス、酵母エキス、コラーゲン、サルビアエキス、サボンソウエキス、サンザシエキス、ジオウエキス、シコンエキス、シソエキス、シナノキエキス、シャクヤクエキス、シラカバエキス、スギナエキス、セイヨウキズタエキス、セイヨウサンザシエキス、セイヨウニワトコエキス、セイヨウノコギリソウエキス、セイヨウハッカエキス、セージエキス、センキュウエキス、センブリエキス、タイソウエキス、タイムエキス、茶エキス、チョウジエキス、チンピエキス、トウキエキス、トウニンエキス、ドクダミエキス、トマトエキス、納豆エキス、ニンジンエキス、ニンニクエキス、ノバラエキス、蜂蜜、ハマメリスエキス、ヒキオコシエキス、ビサボロール、ビワエキス、ブクリョウエキス、プロポリス、ヘチマエキス、ペパーミントエキス、ボダイジュエキス、ホップエキス、マロニエエキス、ムクロジエキス、メリッサエキス、モモエキス、ユキノシタエキス、ユズエキス、ヨモギエキス、ラベンダーエキス、レモンエキス、レンゲソウエキス、ローズマリーエキス、ローヤルゼリーエキス等を挙げることができる。
【００２５】
また、上記天然系の植物抽出成分、海藻抽出成分、生薬成分以外の成分としては、例えばデオキシリボ核酸、ムコ多糖類、ヒアルロン酸ナトリウム、コンドロイチン硫酸ナトリウム、コラーゲン、エラスチン、キチン、キトサン、加水分解卵殻膜などの生体高分子、アミノ酸、乳酸ナトリウム、尿素、ピロリドンカルボン酸ナトリウム、ベタイン、ホエイなどの保湿成分、スフィンゴ脂質、セラミド、コレステロール、コレステロール誘導体、リン脂質などの油性成分、ε−アミノカプロン酸、グリチルリチン酸、β−グリチルレチン酸、塩化リゾチーム、グアイアズレン、ヒドロコルチゾン等の抗炎症剤、ビタミン類（Ａ、Ｂ２、Ｂ６、Ｃ、Ｄ、Ｅ）、パントテン酸カルシウム、ビオチン、ニコチン酸アミド、ビタミンＣエステル等のビタミン類、アラントイン、ジイソプロピルアミンジクロロアセテート、４−アミノメチルシクロヘキサンカルボン酸等の活性成分、トコフェロール、カロチノイド、フラボノイド、タンニン、リグナン、サポニン等の抗酸化剤、α−ヒドロキシ酸、β−ヒドロキシ酸などの細胞賦活剤、γ−オリザノール、ビタミンＥ誘導体などの血行促進剤、イソプロピルメチルフェノール、トリクロサン、ヒノキチオール、塩化ベンザルコニウム等の殺菌剤、ｌ−メントール、ハッカ油等の冷感剤、レチノール、レチノール誘導体等の創傷治癒剤等が挙げられる。
【００２６】
次に本発明について実施例をもって詳細に説明するが、本発明はこれにより限定されるものではない。実施例に先立ち、各実施例で採用した試験法、評価法を説明する。
【００２７】
（１）起泡力試験
１，０００ｍＬ容器の攪拌機つき円筒形シリンダーに、実施例及び比較例のボディシャンプーの１％水溶液を８０ｍＬ入れ、５，０００ｒｐｍで３０秒間攪拌した後の泡容積を測定した。また、評価の基準を次のように設定した。
◎：泡立ち極めて良好  泡容積５００ｍＬ以上
○：泡立ち良好        泡容積４００ｍＬ以上，５００ｍＬ未満
△：泡立ち普通        泡容積３００ｍＬ以上，４００ｍＬ未満
×：泡立ち不良        泡容積３００ｍＬ未満
【００２８】
（２）泡質、すすぎ時の感触及び仕上がり感試験法
１０名の専門パネルにより、実施例及び比較例のボディシャンプーを使用し、使用時の泡質（クリーミィ性）、すすぎ時のぬるつきの無さ、タオルドライ後のしっとり感の各項目について官能評価した。尚、評価基準は以下の通りである。
［使用時の泡質（クリーミィ性）］
◎：極めて良好  泡質（クリーミィ性）が良いと答えた被験者の数が８人以上
○：良好        泡質（クリーミィ性）が良いと答えた被験者の数が６人以上、８人未満△：やや悪い    泡質（クリーミィ性）が良いと答えた被験者の数が４人以上、６人未満×：悪い        泡質（クリーミィ性）が良いと答えた被験者の数が４人未満
［すすぎ時のぬるつきの無さ］
◎：極めて良好  すすぎ時にぬるつきがないと答えた被験者の数が８人以上
○：良好        すすぎ時にぬるつきがないと答えた被験者の数が６人以上、８人未満
△：やや悪い    すすぎ時にぬるつきがないと答えた被験者の数が４人以上、６人未満
×：悪い        すすぎ時にぬるつきがないと答えた被験者の数が４人未満
［タオルドライ後のしっとり感］
◎：極めて良好  しっとりすると答えた被験者の数が８人以上
○：良好        しっとりすると答えた被験者の数が６人以上、８人未満
△：やや悪い    しっとりすると答えた被験者の数が４人以上、６人未満
×：悪い        しっとりすると答えた被験者の数が４人未満
【００２９】
（３）安定性試験（外観評価）
実施例及び比較例のボディシャンプーをガラス瓶に充填し、５℃で１ヶ月静置したときの経時安定性について、下記に示す判断基準により評価を行った。判断基準は以下の通りである。
○：結晶化、ゲル化なし
×：結晶化、ゲル化有り
【００３０】
実施例１〜８及び比較例１〜６
表１に示す組成のボディーシャンプー組成物を調製し、これらを使用したときの起泡性、泡質（クリーミィ性）、すすぎ時のぬるつきのなさ、タオルドライ後のしっとり感、外観について調べ、その結果を表１に示した。なお、以下の全ての実施例及び比較例における配合量は全て質量％である。
【００３１】
【表１】
2012149198.tif 000002
【００３２】
表１より明らかなように、本発明の成分を用いた実施例１〜８のボディシャンプー組成物は比較例１〜６の組成物に比べていずれも優れた性能を見出した。
【００３３】
以下、本発明のボディシャンプー組成物のその他の処方例を実施例９，１０として挙げる。なお、これらの実施例のボディシャンプー組成物についても、上記の起泡性、泡質（クリーミィ性）、すすぎ時のぬるつきのなさ、タオルドライ後のしっとり感、外観の各項目を検討した。
【００３４】
実施例９  ボディシャンプー
（１）ラウリン酸                                                      １０．０
（２）ミリスチン酸                                                      ６．０
（３）パルミチン酸                                                      ３．０
（４）ステアリン酸                                                      １．０
（５）水酸化カリウム                                                    ４．８
（６）プロピレングリコール                                              ８．０
（７）ポリオキシエチレンラウリル硫酸ナトリウム（２Ｅ．Ｏ．）            １．０
（８）ヤシ油脂肪酸モノエタノールアミド                                  ３．０
（９）２−アルキル−Ｎ−カルボキシメチル−
Ｎ−ヒドロキシエチルイミダゾリウムベタイン                        １．０
（１０）ポリオキシエチレン（７）ヤシ油脂肪酸グリセリン                  ２．０
（１１）塩化ジメチルジアリルアンモニウム・アクリルアミド共重合体        ０．１
（１２）ヒドロキシプロピルメチルセルロース                              ０．１
（１３）塩化Ｏ−［２−ヒドロキシ−
３−（トリメチルアンモニオ）プロピル］グァーガム                ０．１
（１４）ジステアリン酸エチレングリコール                                ２．０
（１５）桃葉エキス                                                      ０．１
（１６）アロエベラ葉エキス                                              ０．１
（１７）グリコシルトレハロース                                          ０．５
（１８）カモミラエキス                                                  ０．１
（１９）加水分解コラーゲン液                                            ０．１
（２０）ノバラエキス                                                    ０．１
（２１）シルクエキス                                                    ０．１
（２２）Ｎ−アセチルグルコサミン                                        ０．１
（２３）リンゴエキス                                                    ０．１
（２４）アンズ果実エキス                                                ０．１
（２５）ユーカリエキス                                                  ０．１
（２６）オクテニルコハク酸トウモロコシデンプンエステルアルミニウム      ０．１
（２７）塩化ナトリウム                                                  ０．２
（２８）エデト酸二ナトリウム                                            ０．１
（２９）香料                                                            ０．５
（３０）精製水                                                          残  余
【００３５】
常法により上記組成のボディシャンプーを調製し、すすぎ時のぬるつきのなさ、タオルドライ後のしっとり感、起泡性、外観安定性を評価したところ、いずれの特性も優れており良好な結果を得た。
【００３６】
実施例１０  ボディシャンプー
（１）ラウリン酸                                                      １０．０
（２）ミリスチン酸                                                      ２．０
（３）パルミチン酸                                                      ５．０
（４）水酸化カリウム                                                    ４．２
（５）グリセリン                                                        ５．０
（６）モノラウリン酸ポリオキシエチレンソルビタン（２０Ｅ．Ｏ．）        ０．５
（７）ヤシ油脂肪酸モノエタノールアミド                                  ２．０
（８）２−アルキル−Ｎ−カルボキシメチル−
Ｎ−ヒドロキシエチルイミダゾリウムベタイン                        １．０
（９）ポリオキシエチレン（７）ヤシ油脂肪酸グリセリン                    １．０
（１０）塩化ジメチルジアリルアンモニウム・アクリルアミド共重合体        ０．１
（１１）ヒドロキシプロピルメチルセルロース                              ０．３
（１２）塩化Ｏ−［２−ヒドロキシ−
３−（トリメチルアンモニオ）プロピル］グァーガム                ０．１
（１３）ジステアリン酸エチレングリコール                                ２．０
（１４）桃葉エキス                                                      ０．１
（１５）アロエベラ葉エキス                                              ０．１
（１６）グリコシルトレハロース                                          ０．５
（１７）カモミラエキス                                                  ０．１
（１８）加水分解コラーゲン液                                            ０．５
（１９）ノバラエキス                                                    ０．１
（２０）シルクエキス                                                    ０．５
（２１）Ｎ−アセチルグルコサミン                                        ０．１
（２２）リンゴエキス                                                    ０．１
（２３）アンズ果実エキス                                                ０．１
（２４）ユーカリエキス                                                  ０．１
（２５）オクテニルコハク酸トウモロコシデンプンエステルアルミニウム      ０．１
（２６）塩化ナトリウム                                                  ０．２
（２７）エデト酸二ナトリウム                                            ０．１
（２８）香料                                                            ０．５
（２９）精製水                                                          残  余
【００３７】
常法により上記組成のボディシャンプーを調製し、すすぎ時のぬるつきのなさ、タオルドライ後のしっとり感、起泡性、外観安定性を評価したところ、いずれの特性も優れており良好な結果を得た。